(57)【要約】【課題】外壁に対して内壁を独立して配置することができると共に、化粧材を用いることなく屋内側の外観品質を維持することができる建物の内壁構造を得る。【解決手段】内壁材１１２が取り付けられた内壁フレーム１０４は、その建物上方側の横桟１０８がネイル１１０によって天井部４２に固定されると共に、その建物下方側の横桟１０８がネイル１１０によって床部４８に固定されている。また、内壁フレーム１０４が内壁材１１２の外壁５４側の面に配置され、ネイル１１０が建物上方側の横桟１０８を建物下方側から留め付けると共に、ネイル１１０が建物下方側の横桟１０８を建物上方側から留め付けている。このため、屋内側から見て、内壁フレーム１０４と天井部４２及び床部４８との取付箇所が内壁材１１２で覆い隠された状態となる。【選択図】図１
2016223103.tif 000002
【特許請求の範囲】
【請求項１】
建物の外壁に沿って配置されて当該建物の内壁の壁面を構成する内壁材と、
前記内壁材の建物上方側の周縁部及び当該内壁材の建物下方側の周縁部にそれぞれ沿って配置された一対の横桟と、当該内壁材の建物高さ方向に延びる周縁部に沿って配置された一対の縦桟と、を含んで矩形枠状に構成され、当該内壁材の前記外壁側の面に配置されると共に当該内壁材が取り付けられた木製の内壁フレームと、
建物上方側の前記横桟を建物下方側から天井に留め付ける上側固定部材と、
建物下方側の前記横桟を建物上方側から床に留め付ける下側固定部材と、
を有する建物の内壁構造。
【請求項２】
前記内壁フレームは、前記外壁に沿って複数並べて配置されており、隣り合う当該内壁フレームの前記縦桟同士が面接触された状態で当接されている、
請求項１記載の建物の内壁構造。
【請求項３】
前記内壁は、前記横桟の長さが異なる複数種類の前記内壁フレームを備えている、
請求項２に記載の建物の内壁構造。
【請求項４】
前記建物を構成する建物ユニット同士の連結部において、当該建物ユニットの躯体の一部を構成する柱の側面に対向して配置された前記縦桟における当該柱側の面に当該面と当該側面との間に納まると共に当該面の前記内壁材側の縁に揃えて配置された追加縦桟が取り付けられている、
請求項１〜請求項３の何れか１項に記載の建物の内壁構造。
【請求項５】
前記追加縦桟の前記内壁材の厚さ方向の幅は、前記縦桟の当該厚さ方向の幅よりも短い長さに設定されている、
請求項４に記載の建物の内壁構造。
【発明の詳細な説明】
【技術分野】
【０００１】
本発明は、建物の内壁構造に関する。
【背景技術】
【０００２】
下記特許文献１には、内壁パネルの取付構造に関する発明が開示されている。この内壁パネルの取付構造では、矩形枠状でかつ金属製の内壁フレームに内壁材が取り付けられて内壁パネルが構成されている。また、内壁フレームの上部横枠には、上側取付片が設けられており、この上側取付片によって内壁パネルの上端部が天井側に取り付けられている。一方、内壁フレームの下部横枠には、下側取付片が設けられており、この下側取付片によって内壁パネルの下端部が床側に取り付けられている。このため、内壁を外壁の裏面側に、外壁に対して独立して配置することができる。
【先行技術文献】
【特許文献】
【０００３】
【特許文献１】特開平１１−３６４９２号公報（図１４）
【発明の概要】
【発明が解決しようとする課題】
【０００４】
しかしながら、上記特許文献１に開示された建物の内壁構造では、上側取付片及び下側取付片が屋内側から視認できる位置で釘やビス等の固定具によって固定されている。このため、屋内側の外観品質を維持するためには、上側取付片及び下側取付片の周囲に別途化粧材を配置する必要がある。
【０００５】
本発明は上記事実を考慮し、外壁に対して内壁を独立して配置することができると共に、化粧材を用いることなく屋内側の外観品質を維持することができる建物の内壁構造を得ることが目的である。
【課題を解決するための手段】
【０００６】
第１の態様に係る建物の内壁構造は、建物の外壁に沿って配置されて当該建物の内壁の壁面を構成する内壁材と、前記内壁材の建物上方側の周縁部及び当該内壁材の建物下方側の周縁部にそれぞれ沿って配置された一対の横桟と、当該内壁材の建物高さ方向に延びる周縁部に沿って配置された一対の縦桟と、を含んで矩形枠状に構成され、当該内壁材の前記外壁側の面に配置されると共に当該内壁材が取り付けられた木製の内壁フレームと、建物上方側の前記横桟を建物下方側から天井に留め付ける上側固定部材と、建物下方側の前記横桟を建物上方側から床に留め付ける下側固定部材と、を有している。
【０００７】
第１の態様に係る建物の内壁構造では、内壁材が建物の外壁に沿って配置されることで建物の内壁の壁面が構成されている。また、木製の内壁フレームが、内壁材の建物上方側の周縁部及び当該内壁材の建物下方側の周縁部にそれぞれ沿って配置された一対の横桟と、当該内壁材の建物高さ方向に延びる周縁部に沿って配置された一対の縦桟と、を含んで矩形枠状に構成されている。この内壁フレームには、内壁材が取り付けられており、内壁材が取り付けられた内壁フレームは、その建物上方側の横桟が上側固定部材によって天井に固定されると共に、その建物下方側の横桟が下側固定部材によって床に固定されている。このため、建物の外壁を用いることなく建物の内壁を支持することができる。
【０００８】
ここで、本態様では、内壁フレームが内壁材の外壁側の面に配置され、上側固定部材が建物上方側の横桟を当該横桟の建物下方側から留め付けると共に、下側固定部材が建物下方側の横桟を当該横桟の建物上方側から留め付けている。このため、屋内側から見て、内壁フレームと天井及び床との取付箇所が内壁材で覆い隠された状態となり、その結果、別途化粧材を配置することなく、当該取付箇所を屋内側から視認できないようにすることができる。
【０００９】
第２の態様に係る建物の内壁構造は、第１の態様に係る建物の内壁構造において、前記内壁フレームは、前記外壁に沿って複数並べて配置されており、隣り合う当該内壁フレームの前記縦桟同士が面接触された状態で当接されている。
【００１０】
第２の態様に係る建物の内壁構造では、内壁フレームが外壁に沿って複数並べて配置されると共に、隣り合う内壁フレームの縦桟同士が面接触された状態で当接されている。このため、内壁フレームでラーメン構造物の集合体を構成することができる。
【００１１】
第３の態様に係る建物の内壁構造は、第２の態様に係る建物の内壁構造において、前記内壁は、前記横桟の長さが異なる複数種類の前記内壁フレームを備えている。
【００１２】
第３の態様に係る建物の内壁構造では、横桟の長さが異なる複数種類の内壁フレームを用いて内壁を構成することで、当該内壁の大きさを調整することができる。
【００１３】
第４の態様に係る建物の内壁構造は、第１の態様〜第３の態様の何れか１態様に係る建物の内壁構造において、前記建物を構成する建物ユニット同士の連結部において、当該建物ユニットの躯体の一部を構成する柱の側面に対向して配置された前記縦桟における当該柱側の面に当該面と当該側面との間に納まると共に当該面の前記内壁材側の縁に揃えて配置された追加縦桟が取り付けられている。
【００１４】
第４の態様に係る建物の内壁構造では、建物を構成する建物ユニット同士の連結部において、当該建物ユニットの躯体の一部を構成する柱の側面に対向して内壁フレームの縦桟が配置されており、当該縦桟の当該柱側の面に追加縦桟が取り付けられている。この追加縦桟は、当該追加縦桟が取り付けられた面と当該面と対向する柱の側面との間に納まると共に、当該面の内壁材側の縁に揃えて配置されている。このため、建物ユニット同士の連結部において、一方の建物ユニット側の内壁フレームの縦桟と他方の建物ユニット側の内壁フレームの縦桟とに架け渡された状態で内壁材を追加縦桟に取り付けることができる。
【００１５】
第５の態様に係る建物の内壁構造は、第４の態様に係る建物の内壁構造において、前記追加縦桟の前記内壁材の厚さ方向の幅は、前記縦桟の当該厚さ方向の幅よりも短い長さに設定されている。
【００１６】
第５の態様に係る建物の内壁構造では、追加縦桟における内壁材の厚さ方向の幅が縦桟の当該厚さ方向の幅よりも短い長さに設定されているため、建物ユニットの躯体の柱の周辺部における追加縦桟の屋外側にスペースが形成される。
【発明の効果】
【００１７】
以上説明したように、第１の態様に係る建物の内壁構造では、外壁に対して内壁を独立して配置することができると共に、化粧材を用いることなく屋内側の外観品質を維持することができるという優れた効果を有する。
【００１８】
第２の態様に係る建物の内壁構造では、内壁フレームに補強用の横桟を用いることなく内壁の剛性を確保することができるという優れた効果を有する。
【００１９】
第３の態様に係る建物の内壁構造では、内壁の剛性の確保と内壁の設計の自由度の確保との両立を図ることができるという優れた効果を有する。
【００２０】
第４の態様に係る建物の内壁構造では、工場内で建物ユニットに内壁の大部分を構成して、現地で当該内壁における建物ユニットの連結部の部分を構成することができるという優れた効果を有する。
【００２１】
第５の態様に係る建物の内壁構造では、建物ユニット同士の連結部において、建物ユニットの躯体の柱の周辺部に種々の部材を配置することができるという優れた効果を有する。
【図面の簡単な説明】
【００２２】
【図１】本実施形態に係る建物の内壁構造を示す拡大断面図（図６の１−１線に沿って切断した状態を示す断面図）である。
【図２】本実施形態に係る建物の内壁構造を示す分解斜視図である。
【図３】本実施形態に係り、内壁フレームの構成を示す拡大断面図（図６の３−３線に沿って切断した状態を示す断面図）である。
【図４】本実施形態に係る建物の内壁構造を示す拡大断面図（図６の４−４線に沿って切断した状態を示す断面図）である。
【図５】本実施形態に係り、建物ユニットの柱周辺における内壁構造を示す分解斜視図である。
【図６】本実施形態に係る建物を構成する建物ユニットを示す斜視図である。
【図７】本実施形態に係る建物を示す斜視図である。
【発明を実施するための形態】
【００２３】
以下、図１〜図７を用いて、本発明の実施形態に係る建物の内壁構造が適用された建物１０の一例について説明する。
【００２４】
まず、本実施形態に係る建物１０の全体構造について説明する。図７に示されるように、本実施形態に係る建物１０は、基礎１２上に複数個の下階側の建物ユニット１４、１６を据え付けた後に、当該下階側の建物ユニット１４、１６上に複数個の上階側の建物ユニット１８、２０を据え付けることにより構成されている。
【００２５】
次に、建物ユニット１４を例にとって、当該建物ユニット１４の躯体としての躯体フレーム２２の構成について説明する。この躯体フレーム２２は、図１及び図５に一部示されるように、四隅に立設された柱２４と、柱２４の上端部同士を連結する天井フレーム２６と、柱の下端部同士を連結する床フレーム２８と、によって構成されている。天井フレーム２６は、溝形鋼によって構成された天井大梁３０と当該天井大梁３０よりも短い天井大梁３２とが矩形枠状に配置されると共に、天井大梁３０の間に複数の図示しない天井小梁が所定の間隔で架け渡されることにより構成されている。また、床フレーム２８も天井フレーム２６と同様の構成とされており、溝形鋼によって構成された床大梁３４と当該床大梁３４よりも短い床大梁３６とが矩形枠状に配置されて構成されている。そして、天井フレーム２６の建物下方側に天井下地材３８と天井材４０とを含んで天井部４２が構成されると共に、床フレーム２８の建物上方側に床下地材４４と床材４６とを含んで床部４８が構成されている。
【００２６】
天井部４２の構成についてより詳しく説明すると、板材で構成された天井下地材３８が、ウェブ部３０Ａを屋外側とされて配置された天井大梁３０の下側フランジ部３０Ｂの下面に当接状態で配設されている。そして、天井下地材３８の下面部に、矩形平板状の天井材４０が、その屋外側の端部を当該下面部の屋外側の周縁部から建物内側に所定距離離間された状態で、建物ユニット１４の長手方向に沿って所定枚数敷設されている。なお、天井材４０の仕上げ面には、図示しない天井仕上げ用の天井クロスが張られている。
【００２７】
次に、床部４８の構成について説明すると、矩形断面の角材で形成された床下地材４４が、ウェブ部３４Ａを屋外側とされて配置された床大梁３４の上側フランジ部３４Ｂの上面に当接状態で配設されている。そして、床下地材４４の上面部に、矩形平板状の床材４６が、その屋外側の端部を当該上面部の屋外側の周縁部から建物内側に所定距離離間された状態で、建物ユニット１４の長手方向に沿って所定枚数敷設されている。なお、床材４６の仕上げ面には、図示しない床仕上げ材が敷設されている。
【００２８】
一方、図６に示されるように、天井大梁３０及び床大梁３４の屋外側には、外壁パネル５０及び外壁パネル５２が建物１０の外周面に沿って並べて取り付けられており、建物１０の外壁５４の一部を構成している。なお、外壁パネル５０は、外壁５４の一般部を構成しており、外壁パネル５２は、外壁５４における建物ユニット１４、１６の連結部を構成している。
【００２９】
まず、外壁５４の一般部を構成する外壁パネル５０の構成について説明する。図２及び図４にも示されるように、外壁パネル５０は、矩形枠状の外壁フレーム５６と、矩形平板状の外壁材５８と、を含んで構成されると共に、その幅方向を建物ユニット１４の長手方向とされて配置されている。
【００３０】
外壁フレーム５６は、図２にも示されるように、建物高さ方向に延在する縦桟６０、６２、当該縦桟６０、６２の上端部に架け渡された横桟６４及び当該縦桟６０、６２の下端部に架け渡された横桟６６を含んで構成されている。詳しくは、縦桟６０は、溝形鋼で構成されると共に、そのウェブ部６０Ａを外壁パネル５０の幅方向外側とされて配置されている。この縦桟６０は、その上端部側及び下端部側において屋内側のフランジ部６０Ｂが切り欠かれており、当該縦桟６０の一端部及び下端部の断面形状がＬ字状とされている。そして、縦桟６０の屋内側のフランジ部６０Ｂには、後述するように断熱材１１６が取り付けられると共に、縦桟６０の屋外側のフランジ部６０Ｃには、後述するように外壁材５８が取り付けられている。なお、縦桟６２は、外壁パネル５０の幅方向の中心線に対して縦桟６０と対称な構成とされている。
【００３１】
一方、横桟６４は、溝形鋼で構成されると共に、そのウェブ部６４Ａを建物下方側とされて配置されている。そして、ウェブ部６４Ａにおける外壁パネル５０の幅方向の一端部に縦桟６０の上端部が、ウェブ部６４Ａの他端部に縦桟６２の上端部が、それぞれ溶接等の接合手段によって接合されている。また、横桟６４の屋外側のフランジ部６４Ｂは、屋外側から見て、その建物上方側の端部が天井大梁３０の上側フランジ部３０Ｃよりも建物上方側に位置するように形成されると共に、後述するように外壁材５８が取り付けられている。一方、横桟６４の屋内側のフランジ部６４Ｃは、その建物上方側の端部が天井大梁３０の上側フランジ部３０Ｃよりも建物下方側に位置するように形成されている。また、フランジ部６４Ｃの屋外側の面には、外壁パネル５０の幅方向の複数箇所にウエルドナット６８が設けられており、一方、天井大梁３０のウェブ部３０Ａには、ウエルドナット６８に対応する図示しない挿通孔が形成されている。そして、天井大梁３０のウェブ部３０Ａの屋内側からボルト７０がウエルドナット６８に螺合されることで、外壁フレーム５６の建物上方側が天井大梁３０に固定されている。
【００３２】
横桟６６は、外壁パネル５０の幅方向に延在する上壁部６６Ａと、当該上壁部６６Ａの屋外側の端部から建物下方側に延出された正面壁部６６Ｂと、を含んで、断面Ｌ字状に形成されている。そして、上壁部６６Ａにおける外壁パネル５０の幅方向の一端部に縦桟６０の下端部が、上壁部６６Ａの他端部に縦桟６２の下端部が、それぞれ溶接等の接合手段によって接合されている。なお、正面壁部６６Ｂには、後述するように外壁材５８が取り付けられている。
【００３３】
また、横桟６６の上壁部６６Ａにおける外壁パネル５０の幅方向の両端部には、床大梁３４に面する縦壁部７２Ａを備えると共に断面Ｌ字状に形成されたブラケット７２が、溶接等の接合手段によって接合されている。このブラケット７２の縦壁部７２Ａの屋外側の面には、ウエルドナット６８が設けられており、一方、床大梁３４のウェブ部３４Ａには、ウエルドナット６８に対応する図示しない挿通孔が形成されている。そして、床大梁３４のウェブ部３４Ａの屋内側からボルト７０がウエルドナット６８に螺合されることで、外壁フレーム５６の建物下方側が床大梁３４に固定されている。
【００３４】
上記構成の外壁フレーム５６は、図４に示されるように、躯体フレーム２２に取り付けられた状態において、一方の外壁フレーム５６の縦桟６０におけるウェブ部６０Ａと他方の外壁フレーム５６の縦桟６２におけるウェブ部６２Ａとが当接された状態となっている。また、この状態において、ウェブ部６０Ａの建物高さ方向の複数箇所に形成された図示しない挿通孔とウェブ部６２Ａの当該挿通孔に対応する図示しない挿通孔とが位置合わせされた状態となっている。そして、これらの挿通孔にボルト７４が挿通されると共に、当該ボルト７４にナット７６が螺合されることで、外壁フレーム５６同士が連結されている。なお、図４には、外壁パネル５０と外壁パネル５２との連結部の周辺の構成が示されているが、外壁パネル５０同士の連結部の周辺の構造も同様である。
【００３５】
また、外壁フレーム５６同士の境界部には、建物高さ方向に延在する矩形シート状の止水材７８が、当該境界部を屋外側から覆うように縦桟６０のフランジ部６０Ｃ及び縦桟６２のフランジ部６２Ｂに張り付けられている。さらに、外壁材５８が止水材７８を介して、縦桟６０のフランジ部６０Ｃ及び縦桟６２のフランジ部６２Ｂに当接されている。そして、タッピングスクリュー８０が外壁材５８の屋外側から取り付けられて、当該外壁材５８がフランジ部６０Ｃ、６２Ｂ、横桟６４のフランジ部６４Ｂ及び横桟６６の正面壁部６６Ｂに固定されることで、外壁パネル５０が構成されている。なお、本実施形態では、一例として、建物ユニット１４に当該建物ユニット１４の長手方向に４枚の外壁パネル５０が配置されている。
【００３６】
次に、外壁５４における建物ユニット１４、１６の連結部を構成する外壁パネル５２の構成について説明する。外壁パネル５２は、基本的に上述した外壁パネル５０の構成と同様の構成とされているものの、外壁フレーム８２の構成が外壁フレーム５６と一部異なっている。具体的には、外壁フレーム５６の横桟６４に相当する図示しない横桟、横桟６６に相当する横桟８４には、柱２４が納まる図示しない切欠部が形成されている。さらに、外壁フレーム８２を構成するこれらの横桟の長さは、外壁フレーム５６を構成する横桟６４、６６の長さよりも短い長さに設定されており、これに対応して外壁パネル５２を構成する外壁材８６の幅も外壁材５８の幅より短い長さに設定されている（図６参照）。すなわち、外壁パネル５２は、外壁パネル５０よりも幅狭とされている。
【００３７】
また、外壁フレーム８２では、外壁フレーム５６の縦桟６２に対応する縦桟８８の構成が当該縦桟６２と異なっている。具体的には、縦桟８８は、屋外側に面しかつ建物高さ方向に延在する正面壁部８８Ａと、当該正面壁部８８Ａにおける外壁パネル５２の幅方向外側の端部から屋内側に延出された側壁部８８Ｂと、を含んで、断面Ｌ字状に構成されている。なお、縦桟８８の正面壁部８８Ａの上端部における屋内側には建物上方側の横桟が、当該正面壁部８８Ａの下端部における屋内側には建物下方側の横桟８４が、それぞれ溶接等の接合手段によって接合されている。そして、縦桟８８の側壁部８８Ｂには、建物高さ方向の複数箇所に取付ブラケット９０が設けられている。
【００３８】
取付ブラケット９０は、矩形の板材が２箇所直角状に屈曲されて、その断面形状がジグザグ状となるように構成されている。より詳しくは、取付ブラケット９０は、側壁部８８Ｂにおける外壁パネル５２の幅方向内側の面に沿う接合壁部９０Ａと、柱２４の建物ユニット１６側の面に沿う取付壁部９０Ｂと、を含んで構成されている。そして、接合壁部９０Ａが溶接等の接合手段で側壁部８８Ｂに接合されると共に、取付壁部９０Ｂが図示しないボルト等の取付手段によって柱２４に取り付けられている。
【００３９】
また、柱２４の建物ユニット１６側の面と取付ブラケット９０との間には、建物高さ方向に延在する四角柱状の硬質ウレタンフォームで構成された断熱材９２が嵌め込まれている。さらに、柱２４の屋外側には、建物高さ方向に延在する矩形板状の硬質ウレタンフォームで構成された断熱材９４が当該柱２４の屋外側に面に当接されると共に、その一部が断熱材９２と縦桟８８の正面壁部８８Ａとに挟持された状態で配置されている。なお、外壁材８６の建物ユニット１６側の部分は、ビス９６で縦桟８８の正面壁部８８Ａに固定されている。また、建物ユニット１４の隅部に配置された外壁パネル９８の構成は、外壁パネル５２と同様の構成とされている。
【００４０】
ここで、本実施形態では、一例として、建物ユニット１４の内壁１００に本実施形態に係る建物の内壁構造が適用されている。以下、本実施形態の要部である建物１０の内壁構造について詳細に説明する。
【００４１】
まず、図１〜図４を用いて内壁１００の一般部の構成について説明する。これらの図に示されるように、内壁１００の一般部に配置される内壁フレーム１０４は、建物高さ方向に延在する角柱状でかつ木製の一対の縦桟１０６と、建物ユニット１４の長手方向に延在する角柱状でかつ木製の一対の横桟１０８と、を含んで矩形枠状に構成されている。より詳しくは、縦桟１０６及び横桟１０８の断面形状は、建物ユニット１４の短手方向を長手方向とされた矩形状とされている。また、建物上方側の横桟１０８は、縦桟１０６の上端部１０６Ａ間に納まるように配置されると共に、その両端部が縦桟１０６の上端部１０６Ａに図示しない釘等の固定手段によって固定されている。一方、建物下方側の横桟１０８は、縦桟１０６の下端部１０６Ｂ間に納まるように配置されており、その両端部が縦桟１０６の下端部１０６Ｂに図示しない釘等の固定手段によって固定されている。なお、内壁フレーム１０４は、横桟１０８が縦桟１０６の上端部１０６Ａの建物上方側に配置される構成としてもよいし、横桟１０８が縦桟１０６の下端部１０６Ｂの建物下方側に配置される構成としてもよい。
【００４２】
上記構成の内壁フレーム１０４は、その建物上方側が、建物上方側の横桟１０８に当該横桟１０８の建物下方側から上側固定部材としてのネイル１１０が打ち込まれることで、天井部４２、より詳しくは天井材４０及び天井下地材３８に留め付けられている。また、内壁フレーム１０４の建物下方側は、内壁フレーム１０４の建物下方側の横桟１０８に当該横桟１０８の建物上方側から下側固定部材としてのネイル１１０が打ち込まれることで、床部４８、より詳しくは床材４６及び床下地材４４に留め付けられている。そして、内壁フレーム１０４は、建物ユニット１４の長手方向に沿って、換言すれば外壁５４に沿って複数並べて配置されている。また、一方の内壁フレーム１０４と他方の内壁フレーム１０４との境界部において、隣り合う縦桟１０６同士は、面接触された状態で当接されている。なお、内壁フレーム１０４の固定には、ネイル１１０に代えて、タッピングスクリュー等を用いてもよい。また、本実施形態では、一例として、建物ユニット１４に当該建物ユニット１４の長手方向に４つの内壁フレーム１０４が配置されている。
【００４３】
そして、内壁フレーム１０４に屋内側から矩形平板状の石膏ボードで構成された内壁材１１２が、図示しないネイル等の取付手段によって取り付けられると共に、当該内壁材１１２に図示しない内壁仕上げ用の内壁クロスが張られている。また、内壁フレーム１０４で仕切られた空間には、グラスウールがフィルム材で覆われて構成された断熱材１１４が配置されている。さらに、内壁フレーム１０４の屋外側には、矩形板状の押出発泡ポリスチレン（ＸＰＳ）で構成された断熱材１１６が配置されている。この断熱材１１６は、内壁フレーム１０４と外壁フレーム５６の縦桟６０のフランジ部６０Ｂ及び縦桟６２のフランジ部６２Ｃとに挟持された状態で配置されると共に、図示しない接着剤等によって当該フランジ部６０Ｂ、６２Ｃに取り付けられている。なお、本実施形態では、一例として、１つの内壁フレーム１０４に対して１枚の内壁材１１２が配設されている。また、内壁材１１２が内壁フレーム１０４に取り付けられた状態において、内壁材１１２の周縁部に沿って内壁フレーム１０４の縦桟１０６及び横桟１０８が配置されるようになっている。
【００４４】
次に、図４及び図５を用いて、内壁１００における建物ユニット１４、１６の連結部の構成について説明する。これらの図に示されるように、建物ユニット１４、１６の連結部において、柱２４に近接して配置された内壁フレーム１１８は、基本的に内壁フレーム１０４と同様の構成とされているものの、横桟１２０の長さが横桟１０８の長さよりも短い長さに設定されている。したがって、内壁フレーム１１８に取り付けられた内壁材１２２及び内壁フレーム１１８で仕切られた空間に配置された断熱材１２４は、内壁１００の一般部に用いられるものよりも幅狭とされている。
【００４５】
また、柱２４の側面２４Ａに対向して配置された内壁フレーム１１８の縦桟１０６における柱２４側の面１０６Ｃには、建物高さ方向に延在する角柱状の追加縦桟１２６が図示しないネイル等によって取り付けられている。この追加縦桟１２６は、柱２４の側面２４Ａと縦桟１０６の面１０６Ｃとの間に納まると共に、当該面１０６Ｃの内壁材１２２側の縁に揃えて配置されている。また、追加縦桟１２６は、建物ユニット１６にも同様に取り付けられており、建物ユニット１４、１６の追加縦桟１２６を用いて、建物ユニット１４、１６の連結部に内壁材１２８が取り付けられている。なお、内壁材１２８の柱２４側の面には、矩形板状の下地合板１３４が張り付けられている。また、下地合板１３４には、矩形板状の硬質ウレタンフォームで構成された断熱材１３６が張り付けられている。
【００４６】
さらに、追加縦桟１２６における内壁材１２２の厚さ方向の幅は、縦桟１０６の当該厚さ方向の幅よりも短い長さに設定されており、柱２４の周辺部における追加縦桟１２６の屋外側にスペースが形成されるようになっている。そして、追加縦桟１２６の屋外側のスペースには、柱２４と縦桟１０６及び断熱材１１６とに挟持された状態で建物高さ方向に延びる断熱材１３０が配置されている。さらに、断熱材１３０の屋外側にも当該断熱材１３０と断熱材９４とに挟持された状態で建物高さ方向に延びる断熱材１３２が配置されている。なお、断熱材１３０、１３２は、断熱材１１４と同様にグラスウールがフィルム材で覆われて構成されている。また、本実施形態では、一例として、建物ユニット１４の隅部にも内壁フレーム１１８、内壁材１２２及び断熱材１２４が配設されている。
【００４７】
＜本実施形態の作用及び効果＞
次に、本実施形態の作用並びに効果を説明する。
【００４８】
本実施形態では、図１に示されるように、内壁材１１２が建物１０の外壁５４に沿って配置されることで建物１０の内壁１００の壁面が構成されている。また、内壁フレーム１０４が、内壁材１１２の建物上方側の周縁部及び建物下方側の周縁部にそれぞれ沿って配置された一対の横桟１０８と、内壁材１１２の建物高さ方向に延びる周縁部に沿って配置された一対の縦桟１０６と、を含んで矩形枠状に構成されている。この内壁フレーム１０４には、内壁材１１２が取り付けられている。そして、内壁材１１２が取り付けられた内壁フレーム１０４は、その建物上方側の横桟１０８がネイル１１０によって天井部４２に固定されると共に、その建物下方側の横桟１０８がネイル１１０によって床部４８に固定されている。このため、建物１０の外壁５４を用いることなく建物１０の内壁１００を支持することができる。
【００４９】
ここで、本実施形態では、内壁フレーム１０４が内壁材１１２の外壁５４側の面に配置され、ネイル１１０が建物上方側の横桟１０８を建物下方側から留め付けると共に、ネイル１１０が建物下方側の横桟１０８を建物上方側から留め付けている。このため、屋内側から見て、内壁フレーム１０４と天井部４２及び床部４８との取付箇所が内壁材１１２で覆い隠された状態となり、その結果、別途化粧材を配置することなく、当該取付箇所を屋内側から視認できないようにすることができる。したがって、本実施形態では、外壁５４に対して内壁１００を独立して配置することができると共に、化粧材を用いることなく屋内側の外観品質を維持することができる。しかも、内壁フレーム１０４は、木製とされているため、天井大梁３０及び床大梁３４の温度変化の影響による内壁フレーム１０４の温度変化が抑制される。その結果、内壁フレーム１０４による熱橋を抑制することができる。
【００５０】
また、本実施形態では、内壁フレーム１０４、１１８が外壁５４に沿って複数並べて配置されると共に、隣り合う内壁フレーム１０４、１１８の縦桟１０６同士が面接触された状態で当接されている。このため、内壁フレーム１０４、１１８でラーメン構造物の集合体を構成することができる。その結果、本実施形態では、内壁フレーム１０４、１１８に補強用の横桟を用いることなく内壁１００の剛性を確保することができる。
【００５１】
さらに、本実施形態では、横桟の長さが異なる複数種類の内壁フレーム１０４、１１８を用いて内壁１００を構成することで、当該内壁１００の大きさを調整することができる。このため、本実施形態では、内壁１００の剛性の確保と内壁１００の設計の自由度の確保との両立を図ることができる。
【００５２】
加えて、本実施形態では、建物ユニット１４、１６の連結部において、建物ユニット１４、１６の躯体フレーム２２の一部を構成する柱２４の側面２４Ａに対向して内壁フレーム１１８の縦桟１０６が配置されており、縦桟１０６の柱２４側の面１０６Ｃに追加縦桟１２６が取り付けられている。この追加縦桟１２６は、縦桟１０６の面１０６Ｃと柱２４の側面２４Ａとの間に納まると共に、当該面１０６Ｃの内壁材１２２側の縁に揃えて配置されている。このため、建物ユニット１４、１６の連結部において、建物ユニット１４側の内壁フレーム１１８の縦桟１０６と建物ユニット１６側の内壁フレーム１１８の縦桟１０６とに架け渡された状態で内壁材１２８を追加縦桟１２６に取り付けることができる。その結果、本実施形態では、工場内で建物ユニット１４、１６に内壁１００の大部分を構成して、現地で内壁１００における建物ユニット１４、１６の連結部の部分を構成することができる。
【００５３】
さらに加えて、本実施形態では、追加縦桟１２６における内壁材１２２の厚さ方向の幅が縦桟１０６の当該厚さ方向の幅よりも短い長さに設定されている。このため、建物ユニット１４、１６の躯体フレーム２２の柱２４の周辺部における追加縦桟１２６の屋外側にスペースが形成される。その結果、本実施形態では、建物ユニット１４、１６の連結部において、躯体フレーム２２の柱２４の周辺部に断熱材１３０、１３２といった種々の部材を配置することができる。
【００５４】
＜上記実施形態の補足説明＞
（１）  上述した実施形態では、１つの内壁フレームに対して１枚の内壁材が配置されていたが、これに限らず、２つの内壁フレームに対して１枚の内壁材を配設する等の構成もとり得る。また、内壁１００の面積が小さい場合には、１つの内壁フレーム及び１枚の内壁材で内壁１００を構成してもよい。
【００５５】
（２）  さらに、上述した実施形態では、内壁フレームを２本の縦桟と２本の横桟とで構成していたが、これに限らない。内壁１００の面積が大きい場合には、３本の縦桟と２本の横桟で内壁フレームを構成するといった変更が可能である。
【符号の説明】
【００５６】
１０      建物
２４      柱
２４Ａ    柱の側面
５４      外壁
１００    内壁
１０４    内壁フレーム
１０６    縦桟
１０６Ｃ  柱側の面
１０８    横桟
１１０    ネイル（上側固定部材、下側固定部材）
１１２    内壁材
１１８    内壁フレーム
１２０    横桟
１２２    内壁材
１２６    追加縦桟
【図１】
2016223103.tif 000003
【図２】
2016223103.tif 000004
【図３】
2016223103.tif 000005
【図４】
2016223103.tif 000006
【図５】
2016223103.tif 000007
【図６】
2016223103.tif 000008
【図７】
2016223103.tif 000009